(57)【要約】【課題】撮像装置を不要に大型化することなく、且つ、撮影画像を縮小することなく適切な大きさで撮影画像と操作パネル画像を表示する撮像装置を提供する。【解決手段】第１表示部１１と第２表示部２１とを有する撮像装置１は、第１表示部１１にライブビュー画像５２を、第２表示部２１に操作用画像５０と記録画像５３とを表示する。第１表示部１１に撮影画像であるライブビュー画像５２を、第２表示部２１に操作用画像５０と記録画像５３とを表示する表示されることから、撮影画像の表示領域を狭めることなく、撮影画像と操作パネル画像を表示することができる。【選択図】図６
2010081099.tif 000002
【特許請求の範囲】
【請求項１】
第１の表示手段を備えた第１のボディ部と、第２の表示手段を備えた第２のボディ部とを備え、前記第１のボディ部と前記第２のボディ部との位置関係の変化により、前記第１の表示手段の表示内容と前記第２の表示手段の表示内容とが同一方向から視認可能な展開状態と、前記第１の表示手段の表示内容と前記第２の表示手段の一方のみの表示内容が視認可能な収納状態とをとりうる撮像装置において、
前記展開状態のとき、前記表示内容として前記第１の表示手段に撮影画像を、前記第２の表示手段に操作用画像を表示し、前記収納状態のとき、前記第１の表示手段と前記第２の表示手段のうち視認可能なほうに、前記表示内容として撮影画像及び操作用画像を表示するよう制御する第１の表示制御手段を備えたことを特徴とする撮像装置。
【請求項２】
前記第１の表示手段及び前記第２の表示手段はタッチパネル機能を有し、
前記展開状態のとき、前記第１の表示手段及び前記第２の表示手段に備えられたタッチパネル機能を有効にし、前記収納状態のとき、前記第１の表示手段と前記第２の表示手段のうち視認可能なほうの表示手段のタッチパネル機能を有効とするよう制御する機能制御手段を更に備えたことを特徴とする請求項１記載の撮像装置。
【請求項３】
前記第１の表示制御手段は、前記展開状態のとき、前記第２の表示手段に前記操作用画像とともに撮影パラメータ画像を更に表示するよう制御することを特徴とする請求項１又は２に記載の撮像装置。
【請求項４】
前記第１の表示制御手段は、前記展開状態のとき、前記第２の表示手段に前記操作用画像としてメニュー情報画像を更に表示するよう制御することを特徴とする請求項１又は２に記載の撮像装置。
【請求項５】
当該撮像装置によって撮像された撮影画像を記録する記録手段を更に備え、
前記第１の表示制御手段は、前記展開状態のとき、前記第２の表示手段に前記操作用画像とともに、前記記録手段に記録された撮影画像を更に表示するよう制御することを特徴とする請求項１又は２に記載の撮像装置。
【請求項６】
静止画撮影モードと動画撮影モードとを有し、
前記静止画撮影モードで、且つ、前記展開状態のとき、前記表示内容として前記第１の表示手段に撮影画像を表示し、前記動画撮影モードで、且つ、前記展開状態のとき、前記表示内容として前記第２の表示手段に順次撮像される撮影画像を表示するよう制御する第２の表示制御手段を更に備えたことを特徴とする請求項１から５のいずれか記載の撮像装置。
【請求項７】
前記動画撮影モードにおいて順次撮像される撮影画像を記録手段へ静止画として記録するよう制御する記録制御手段を更に備え、
前記第２の表示制御手段は、動画撮影モードで、且つ、前記展開状態のとき、前記第１の表示手段に前記記録制御手段によって前記記録手段に記録された静止画を更に表示するよう制御することを特徴とする請求項６記載の撮像装置。
【請求項８】
前記静止画撮影モードと前記動画撮影モードとを切り替える切替手段と、
前記切り替え手段により撮影モードが切り替わったことを検出する検出手段と
を更に備え、
前記第２の表示制御手段は、前記検出手段によって撮影モードが切り替わったことを検出したことを契機に、前記第１の表示手段及び前記第２の表示手段の表示内容を制御することを特徴とする請求項６又は７記載の撮像装置。
【請求項９】
記録手段は前記撮影画像を複数記録するとともに、当該記録手段に記録された複数の撮影画像を再生する再生モードを更に有し、
前記再生モードで、且つ、前記展開状態のとき、前記表示内容として前記第２の表示手段に前記記録手段に複数記録された撮影画像のサムネイル画像を一覧表示するよう制御する第３の表示制御手段と、
この第３の表示制御手段によって一覧表示されたサムネイル画像から任意のサムネイル画像を選択する画像選択手段と、
前記表示内容として、前記第１の表示手段に前記画像選択手段によって選択されたサムネイル画像に対応する撮影画像を表示するよう制御する第４の表示制御手段と
を更に備えること特徴とする請求項１から８のいずれか記載の撮像装置。
【請求項１０】
第１の表示手段を備えた第１のボディ部と、第２の表示手段を備えた第２のボディ部とを備え、前記第１のボディ部と前記第２のボディ部との位置関係の変化により、前記第１の表示手段の表示内容と前記第２の表示手段の表示内容とが同一方向から視認可能な展開状態と、前記第１の表示手段の表示内容と前記第２の表示手段の一方のみの表示内容が視認可能な収納状態とをとりうる撮像装置が有するコンピュータを、
前記展開状態のとき、前記表示内容として前記第１の表示手段に撮影画像を、前記第２の表示手段に操作用画像を表示し、前記収納状態のとき、前記第１の表示手段と前記第２の表示手段のうち視認可能なほうに、前記表示内容として撮影画像及び操作用画像を表示するよう制御する第１の表示制御手段として機能させることを特徴とするプログラム。
【発明の詳細な説明】
【技術分野】
【０００１】
本発明は、例えばデジタルカメラ等の撮像装置に関し、特に２つの表示部を有する撮像装置及び該撮影装置の撮像プログラムに関するものである。
【背景技術】
【０００２】
従来より、タッチパネルを搭載した液晶表示部に撮影画像と各種操作パネル画像とを重畳表示して各種操作を可能とする撮像装置が存在する。例えば、特許文献１には、携帯機器では、液晶表示部の下部に操作パネル画像（編集メニュー）を表示し、他の領域に撮影画像を表示する携帯機器が開示されている。
【０００３】
【特許文献１】特開２００８−１９１７９９号公報（図５）
【発明の開示】
【発明が解決しようとする課題】
【０００４】
しかしながら、液晶表示部に撮影画像と操作パネル画像とを重畳表示すると、操作パネルを上層に撮影画像を下層に階層的に表示することになるため、撮影画像の一部が操作パネルに隠れてしまい、撮影画像の全体が視認できなくなるという課題がある。
【０００５】
また、撮影画像を縮小して操作パネル画像を撮影画像の外側に表示して、撮影画像と各種操作パネル画像とを同一の階層に並列に表示すると、操作パネル画像と撮影画像とが重ならないように表示することができるが、必然的に表示される撮影画像が小さくなることから、撮影画像の確認がしにくくなるという問題がある。また、撮影画像の確認をし易いように画面サイズを大型化すると、装置全体が大型化してしまうという問題が発生する。
【０００６】
さらに、撮像装置は年々多機能になりつつあるので、操作パネル画像部分を大きく表示する必要性も高まっている。
【０００７】
本発明は、かかる従来の課題に鑑みてなされたものであり、撮像装置を不要に大型化することなく、且つ、撮影画像を縮小することなく適切な大きさで撮影画像と操作パネル画像を表示することができる撮像装置、おおびそのような撮影装置のプログラムを提供すること目的とする。
【課題を解決するための手段】
【０００８】
前記課題を解決するため請求項１記載の発明に係る撮像装置にあっては、第１の表示手段を備えた第１のボディ部と、第２の表示手段を備えた第２のボディ部とを備え、前記第１のボディ部と前記第２のボディ部との位置関係の変化により、前記第１の表示手段の表示内容と前記第２の表示手段の表示内容とが同一方向から視認可能な展開状態と、前記第１の表示手段の表示内容と前記第２の表示手段の一方のみの表示内容が視認可能な収納状態とをとりうる撮像装置において、前記展開状態のとき、前記表示内容として前記第１の表示手段に撮影画像を、前記第２の表示手段に操作用画像を表示し、前記収納状態のとき、前記第１の表示手段と前記第２の表示手段のうち視認可能なほうに、前記表示内容として撮影画像及び操作用画像を表示するよう制御する第１の表示制御手段を備えたことを特徴とする。
【０００９】
また、請求項２記載の発明に係る撮像装置にあっては、前記第１の表示手段及び前記第２の表示手段はタッチパネル機能を有し、前記展開状態のとき、前記第１の表示手段及び前記第２の表示手段に備えられたタッチパネル機能を有効にし、前記収納状態のとき、前記第１の表示手段と前記第２の表示手段のうち視認可能なほうの表示手段のタッチパネル機能を有効とするよう制御する機能制御手段を更に備えたことを特徴とする。
【００１０】
また、請求項３記載の発明に係る撮像装置にあっては、前記第１の表示制御手段は、前記展開状態のとき、前記第２の表示手段に前記操作用画像とともに撮影パラメータ画像を更に表示するよう制御することを特徴とする。
【００１１】
また、請求項４記載の発明に係る撮像装置にあっては、前記第１の表示制御手段は、前記展開状態のとき、前記第２の表示手段に前記操作用画像としてメニュー情報画像を更に表示するよう制御することを特徴とする。
【００１２】
また、請求項５記載の発明に係る撮像装置にあっては、当該撮像装置によって撮像された撮影画像を記録する記録手段を更に備え、前記第１の表示制御手段は、前記展開状態のとき、前記第２の表示手段に前記操作用画像とともに、前記記録手段に記録された撮影画像を更に表示するよう制御することを特徴とする。
【００１３】
また、請求項６記載の発明に係る撮像装置にあっては、静止画撮影モードと動画撮影モードとを有し、前記静止画撮影モードで、且つ、前記展開状態のとき、前記表示内容として前記第１の表示手段に撮影画像を表示し、前記動画撮影モードで、且つ、前記展開状態のとき、前記表示内容として前記第２の表示手段に順次撮像される撮影画像を表示するよう制御する第２の表示制御手段を更に備えたことを特徴とする。
【００１４】
また、請求項７記載の発明に係る撮像装置にあっては、前記動画撮影モードにおいて順次撮像される撮影画像を前記記録手段へ静止画として記録するよう制御する記録制御手段を更に備え、前記第２の表示制御手段は、動画撮影モードで、且つ、前記展開状態のとき、前記第１の表示手段に前記記録制御手段によって前記記録手段に記録された静止画を更に表示するよう制御することを特徴とする。
【００１５】
また、請求項８記載の発明に係る撮像装置にあっては、前記静止画撮影モードと前記動画撮影モードとを切り替える切替手段と、前記切り替え手段により撮影モードが切り替わったことを検出する検出手段と、を更に備え、前記第２の表示制御手段は、前記検出手段によって撮影モードが切り替わったことを検出したことを契機に、前記第１の表示手段及び前記第２の表示手段の表示内容を制御することを特徴とする。
【００１６】
また、請求項９記載の発明に係る撮像プログラムにあっては、前記記録手段は前記撮影画像を複数記録するとともに、当該記録手段に記録された複数の撮影画像を再生する再生モードを更に有し、前記再生モードで、且つ、前記展開状態のとき、前記表示内容として前記第２の表示手段に前記記録手段に複数記録された撮影画像のサムネイル画像を一覧表示するよう制御する第３の表示制御手段と、この第３の表示制御手段によって一覧表示されたサムネイル画像から任意のサムネイル画像を選択する画像選択手段と、前記表示内容として、前記第１の表示手段に前記画像選択手段によって選択されたサムネイル画像に対応する撮影画像を表示するよう制御する第４の表示制御手段と、を更に備えること特徴とする。
【００１７】
また、請求項１０記載の発明に係る撮像プログラムにあっては、  第１の表示手段を備えた第１のボディ部と、第２の表示手段を備えた第２のボディ部とを備え、前記第１のボディ部と前記第２のボディ部との位置関係の変化により、前記第１の表示手段の表示内容と前記第２の表示手段の表示内容とが同一方向から視認可能な展開状態と、前記第１の表示手段の表示内容と前記第２の表示手段の一方のみの表示内容が視認可能な収納状態とをとりうる撮像装置が有するコンピュータを、前記展開状態のとき、前記表示内容として前記第１の表示手段に撮影画像を、前記第２の表示手段に操作用画像を表示し、前記収納状態のとき、前記第１の表示手段と前記第２の表示手段のうち視認可能なほうに、前記表示内容として撮影画像及び操作用画像を表示するよう制御する第１の表示制御手段として機能させることを特徴とする。
【発明の効果】
【００１８】
本発明によれば、撮像装置を不要に大型化することなく、且つ、撮影画像を縮小することなく適切な大きさで撮影画像と操作パネル画像を表示することができる。
【発明を実施するための最良の形態】
【００１９】
図１は、本発明の撮像装置の実施形態であるデジタルカメラ１の収納状態を示す図であり、（ａ）は正面図、（ｂ）は側面図、（ｃ）は背面図である。また、図２は、本発明の撮像装置の実施形態であるデジタルカメラ１の展開状態を示す図であり、（ａ）は側面図、（ｂ）は背面図である。
【００２０】
デジタルカメラ１は第１ボディ部１０と第２ボディ部２０とから構成され、第1ボディ部１０には軸芯１２を枢結した枢結部１３が、第２ボディ部２０には軸芯２２を枢結した枢結部２３が形成されており、第１ボディ部１０と第２ボディ部２０とは軸芯１２，２２を介して連結部５によって開閉可能に連結されている。
【００２１】
第１ボディ部１０は、その上面にズームレバー２、シャッター釦３、電源釦４が設けられ（図１（ａ）、図１（ｂ）、図２（ａ）参照）、その正面にフォーカスレンズ駆動機構６、撮影レンズ７、ストロボ８が設けられている（図１（ａ）参照）。また、第１ボディ部１０の背面には、タッチパネル機能を搭載した第1表示部１１が設けられている（図２（ｂ）参照）。
【００２２】
第２ボディ部２０は、その背面にタッチパネル機能を搭載した第２表示部２１が設けられている（図１（ｃ）、図２（ｂ）参照）。
【００２３】
このような構成を有するデジタルカメラ１は、図１に示す収納状態においては、第２表示部２１が背面に位置し、第１表示部１１は第１ボディ部１０と第２ボディ部２０との間に位置するという位置関係の変化により、第２表示部２１のみの表示内容が視認可能となる。従って、ユーザは、第２表示部２１の表示内容を確認しながら、デジタルカメラ１の操作が可能となる。
【００２４】
また、図２に示す展開状態においては、第１表示部１１と第２表示部２１とがデジタルカメラ１の背面側に位置するという位置関係の変化により、第１表示部１１の表示内容と第２の表示部の表示内容が同一方向から視認可能となる。従って、ユーザは、第1表示部１１及び第２表示部２１の表示内容を確認しながら、デジタルカメラ１の操作が可能となる。
【００２５】
第１ボディ部１０は軸芯１２を支点として回転可能であり、第２ボディ部２０は軸芯２２を支点として回転可能である（図１（ｂ）参照）。また、第１ボディ部１０に対して第２ボディ部２０は図２（ｂ）の連結部５の連結軸５ａを中心に回転可能であり、逆に第２ボディ部２０に対して第１ボディ部１０は図２（ｂ）の連結部５の連結軸５ａを中心に回転可能である。そのため、図１（ｂ）の収容状態から例えば第２ボディ部２０を回転させて開くと、デジタルカメラ１の背面に第１表示部１１が、デジタルカメラ１の正面に第２表示部２１が位置することになるが、第１表示部１１を第２表示部２１に対して略１８０度反転させることによって、デジタルカメラ１の背面に第１表示部１１及び第２表示部２１が位置することとなり、図２（ｂ）の展開状態となる。
【００２６】
なお、第１ボディ部１０と第２ボディ部２０とは軸芯１２，２２の２軸ヒンジで構成されている例を説明したが、第1ボディ部１０に対して第２ボディ部２０がスライド移動するスライド形式で構成されていてもよい。
【００２７】
図３は、本発明の撮像装置の実施形態であるデジタルカメラ１の電気的構成を示したブロック図である。
【００２８】
このデジタルカメラ１は、基本モードである撮像モードにおいて、ズームレンズ３１を移動させて光学ズーム動作を行わせるズーム駆動部３２、フォーカスレンズ３３を移動させて合焦動作を行わせるＦＭ駆動部３４、とから構成される撮像光学系と、撮像素子であるＣＣＤ，タイミング発生器（ＴＧ），垂直ドライバ，サンプルホールド回路（Ｓ／Ｈ），Ａ／Ｄ変換器，カラープロセス回路等を含む撮像部３５と、制御部３６ａ，画像圧縮部３６ｂ，撮像処理部３６ｃを含む情報処理部３６と、第１表示部１１と、第１表示部１１を制御する表示制御部３７−１と、第１表示部１１に関連するタッチパネル３９−１と、第２表示部２１と、第２表示部２１を制御する表示制御部３７−２と、第２表示部２１に関連するタッチパネル３９−２と、記録部４１と、キー入力部４２と、開閉検出部４０−１と、回転検出部４０−２と、を備える。
情報処理部３６は、ここでは３６ａ〜３６ｃは夫々別々の媒体から構成されているものと記載したが、１つの媒体にすべての機能を含むように構成されていても良い。
【００２９】
撮像モードでのモニタリング状態においては、ズーム駆動部３２は、光学ズーム指示があると制御部３６ａからの制御信号に基づいて図示しないズームレンズ駆動モータを駆動してズームレンズ３１を光軸に沿って前後に移動させることによりＣＣＤに結像させる画像の倍率そのものを変化させる。また、ＦＭ駆動部３４は図示しないフォーカスレンズ駆動モータを駆動してフォーカスレンズ３３を移動させる。そして、撮像光学系の撮像光軸後方に配置された撮像部３５に設けられた撮像素子であるＣＣＤが、タイミング発生器（ＴＧ），垂直ドライバによって走査駆動され、一定周期毎に結像した光像に対応する光電変換出力を１フレーム分出力する。
【００３０】
撮像部３５のＣＣＤは被写体の二次元画像を撮像する固体撮像デバイスであり、典型的には毎秒数十フレームの画像を撮像する。なお、撮像素子はＣＣＤに限定されずＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像デバイスでもよい。この光電変換出力は、アナログ値の信号の状態でＲＧＢの各原色成分毎に適宜ゲイン調整された後に、サンプルホールド回路（Ｓ／Ｈ）でサンプルホールドされ、Ａ／Ｄ変換器でデジタルデータ（画素）に変換され、カラープロセス回路で画像補間処理及びＹ補正処理を含むカラープロセス処理が行われて、デジタル値の輝度信号Ｙ及び色差信号Ｃｂ、Ｃｒが生成される。その後、カラープロセス回路の出力する輝度信号Ｙ及び色差信号Ｃｂ、Ｃｒを、同じくカラープロセス回路からの複合（ｃｏｍｐｏｓｉｔｅ）同期信号、メモリ書き込みイネーブル信号、及びクロック信号を用いてバッファメモリとして使用される揮発性の一時記録装置４１ｄにＤＭＡ転送する。
【００３１】
情報処理部３６は、このデジタルカメラ１全体の制御動作を司るものであり、ＣＰＵ若しくはＭＰＵ等の制御部３６ａと、１フレーム分の輝度及び色差信号をＹ、Ｃｂ、Ｃｒの各コンポーネント毎に縦８画素×横８画素の基本ブロックと呼称される単位で読み出してＪＰＥＧ（Ｊｏｉｎｔ  Ｐｈｏｔｏｇｒａｐｈ  ｃｏｒｄｉｎｇ  Ｅｘｐｅｒｔｓ  Ｇｒｏｕｐ）回路に書込み、このＪＰＥＧ回路でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピー符号化方式であるハフマン符号化等の処理によりデータ圧縮する画像圧縮部３６ｂと、撮像部３５によって撮像された画像データを処理する撮像処理部３６ｃと、を有する。
【００３２】
また、制御部３６ａは、キー入力部４２からの状態信号に対応してフラッシュメモリ等のプログラム格納用メモリに格納されている各モードに対応の処理プログラムやメニューデータを取り出して、デジタルカメラ１の各機能の実行制御や、光学ズーム時のズームレンズの動作制御や、電子ズームや、ライブビュー表示、自動合焦、撮像、記録、及び記録した画像の再生・表示等の実行制御等を行う。
【００３３】
また、制御部３６ａは合焦指示に応じてその時点でＣＣＤから取込んでいる１フレーム分の輝度及び色差信号のＤＭＡ転送の終了後、直ちにＣＣＤからの経路を停止して記録保存の状態に遷移する。そして、得た符号データを１画像のデータファイルとしてＪＰＥＧ回路から読出し、保存記録装置４１ｃや外部記録装置４１ｂに記録保存する。また、１フレーム分の輝度及び色差信号の圧縮処理及び保存記録装置４１ｃへの全圧縮データの書込み終了に伴って、制御部３６ａはＣＣＤから一時記録装置４１ｄへの経路を再び起動する。
【００３４】
表示制御部３７−１，３７−２は、撮影画像の表示制御や機能選択時の操作用画像の表示制御、設定画面の表示制御等を行うものであり、第１表示部１１に対する表示制御を表示制御部３７−１が、第２表示部２１に対する表示制御を表示制御部３７−２が行う。表示制御部３７−１，３７−１は、上記輝度及び色差信号を一時記録装置４１ｄから定期的に読み出し、これらのデータを基にビデオ信号を生成して表示部１１，２１に出力する。表示部１１，２１は、上述したように撮像モード時にはモニタ表示部（電子ファインダ）として機能するもので、ビデオ信号に基づいた表示を行うことで、その時点で取込んでいる画像情報に基づく画像をリアルタイムに表示することになる。
【００３５】
タッチパネル３９−１，３９−２は、表示部に設けられたタッチパネル機能を制御する入力制御部であり、第１表示部１１に対するタッチパネル機能をタッチパネル３９−１が、第２表示部２１に対するタッチパネル機能をタッチパネル３９−２が制御する。
【００３６】
開閉検出部４０−１，回転検出部４０−２は、第１ボディ部１０と第２ボディ部２０との位置関係を検出して展開状態か収納状態かを制御部３６ａに判断させるものであり、軸芯１２及び軸芯２２の回転状態を開閉検出部４０−１が、連結軸５ａの回転状態を回転検出部４０−２が検出する。
【００３７】
記録部４１は、外部記録装着部４１ａに装着可能な不揮発性の外部記録装置４１ｂや、不揮発性の保存記録装置４１ｃや、揮発性の一時記録装置４１ｄなどの一連の記録部の集合の一形態を示すものであり、記録部を構成する４１ａ〜４１ｄは別の構成であっても良い。たとえば、一時記録装置４１ｄを除いて、当該記録装置の機能を保存記録装置４１ｃに持たせるように構成しても構わない。保存記録装置４１ｃは制御部３６ａで実行される動作プログラム等を記録したプログラム格納メモリとして、一時記録装置４１ｄは上記輝度及び色差信号をＤＭＡ転送されるメモリとして機能する。
【００３８】
また、基本モードである再生モード時には、制御部３６ａが保存記録装置４１ｃ又は外部記録装置４１ｂに記録されている画像データを選択的に読出し、ＪＰＥＧ回路で画像撮像モード時にデータ圧縮した手順とまったく逆の手順で圧縮されている画像データを伸張し、伸張した画像データを表示制御部３７−１，３７−２を介して展開して記録させた上で、この表示制御部３７−１，３７−２から定期的に読出し、これらの画像データを元にビデオ信号を生成して表示部１１，２１で再生出力させる。
【００３９】
上記ＪＰＥＧ回路は複数の圧縮率に対応しており、圧縮率に対応させて記録するモードには圧縮率の低い高解像度（一般に、高精細、ファイン、ノーマルなどと呼ばれる）に対応するモードと圧縮率の高い低解像度（一般にエコノミーなどと呼ばれる）モードがある。また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる記録画素サイズがある。
【００４０】
保存記録装置４１ｃは、内蔵メモリ（フラッシュメモリ）やハードディスク等、外部記録装置４１ｂは、着脱可能なメモリカード等の記録媒体からなり画像データや撮像情報等を保存記録する。
【００４１】
キー入力部４２は、ズームレバー２（Ｗボタン、Ｔボタン）、シャッター釦３、電源釦４を有し、それらのキーが操作されると操作されたキーの操作信号を生成して制御部３６ａに送出するキー処理部（図示せず）等から構成されている。ズームレバー２は、ズーム操作に用いられ、光学ズームの場合はズームボタン（Ｗボタン又はＴボタン）の操作に対応してズームレンズ（可変焦点距離レンズ）がワイド側またテレ側に移動されズームボタンの操作に対応してズーム値が決定され、ズーム値の変化に追従して画角が実際に変化し、液晶モニタ画面にはワイド（広角）画像又はテレ（望遠）画像が表示される。シャッター釦３は、撮像時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮像処理を行うための撮像指示信号を発生する。
【００４２】
以下、このように構成された本発明の撮像装置の実施形態であるデジタルカメラ１の代表的な動作について図面を参照して説明する。デジタルカメラ１の動作は制御部３６ａの制御によって行われる。
【００４３】
図４は、撮影モードの静止画撮影モードが設定された場合における制御部３６ａの処理手順を示すフローチャートである。
【００４４】
まず、制御部３６ａにより通常撮影モードの設定読み出しを行う（ステップＳＡ１）。この設定読み出しは、静止画通常撮影モードの撮影に必要な各種パラメータの初期値を保存記録装置４１ｃ又は一時記録装置４１ｄから読み出す処理である。
【００４５】
次に、「Ｍ」ボタンによってメニュー表示が指示されたか否かを判断する（ステップＳＡ２）。メニュー画面では、通常撮像モード、マクロ撮像モード、連写モード、速写モード等の撮影モードを選択することができ、メニュー表示が指示されたと判断した場合は、メニュー処理を行う（ステップＳＡ３）。すなわち、指示された撮影モードの撮影に必要な各種パラメータの初期値を読み出して設定を変更する。
【００４６】
ステップＳＡ２においてメニュー表示が指示されていないと判断した場合又はステップＳＡ３のメニュー処理が実行された場合は、ライブビュー画像の撮影処理を行う（ステップＳＡ４）。ステップＳＡ４においては、ＡＷＢ（オートホワイトバランス）を実行する。
【００４７】
次いで、ライブビュー画像表示設定の設定処理を行う（ステップＳＡ５）。すなわち、ライブビュー画像で表示するガイド表示の内容を設定する処理であり、例えばフォーカス枠の決定等を行う。
【００４８】
次いで、第１表示部１１を制御する表示制御部３７−１にライブビュー画像表示のための処理を行い、第１表示部１１にライブビュー画像を表示する（ステップＳＡ６）。
【００４９】
次いで、シャッター釦３が既に半押しされていて半押しフラグがオンしているか否かを判断する（ステップＳＡ７）。半押しフラグがオンしていないと判断した場合は、ユーザがシャッター釦３を半押ししたか否かを検出し（ステップＳＡ８）、シャッター釦３の半押しを検出した場合は半押しフラグをオンする（ステップＳＡ９）。ステップＳＡ８において、シャッター釦３の半押しを検出しなかった場合は、ステップＳＡ１１に進む。ステップＳＡ９の処理の後、基本撮影条件の設定処理を実行する（ステップＳＡ１０）。これは、ＩＳＯ速度等の決定を行う設定処理である。ステップＳＡ１０の処理の後、通常撮影モードを終了するか否かを判断し（ステップＳＡ１１）、終了すると判断した場合は本サブルーチンを終了する。
【００５０】
一方、ステップＳＡ１１において、通常撮影モードを終了しないと判断した場合は、処理をステップＳＡ２に戻して処理を続行する。以降、ステップＳＡ７において半押しフラグがオンされていると判断された場合について記載する。
【００５１】
ステップＳＡ７において半押しフラグがオンされていると判断された場合は、シャッター釦３で半押しが維持されているか否かを判断する（ステップＳＡ１２）。シャッター釦３で半押しが維持されていないと判断した場合は、半押しフラグをオフにする（ステップＳＡ１３）。
【００５２】
一方、シャッター釦３で半押しが維持されていると判断した場合は、シャッター釦３で全押しを検出したか否かを判断する（ステップＳＡ１４）。ここで、シャッター釦３の全押しを検出しないと判断した場合は、処理をステップＳＡ１１に進める。
【００５３】
一方、ステップＳＡ１４においてシャッター釦３の全押しを検出しないと判断した場合は、記録画像５３の撮像処理を行いＡＷＢ（オートホワイトバランス）を実行する（ステップＳＡ１５）。
【００５４】
次いで、外部記録装置４１ｂに記録画像５３を記録し（ステップＳＡ１６）、記録画像５３を第２表示部２１を制御する表示制御部３７−２にて表示制御し、第２表示部２１に表示する（ステップＳＡ１７）。その後、処理をステップＳＡ１１に進める。
【００５５】
次に、表示部１１，２１に表示される表示内容について説明する。図５〜図１４は、展開状態における表示部１１，２１の表示内容を示す図であり、図１５〜図２１は、収納状態における表示部２１の表示内容を示す図である。
【００５６】
図５は、静止画撮影モードが選択されている静止画撮影時に、ユーザの操作がないときの表示内容を示しており、第１表示部１１に撮影画像であるライブビュー画像５２が、第２表示部２１に操作用画像５０と撮影パラメータ画像５１とが表示されている。また、第１表示部１１に対応するタッチパネル３９−１は無効にされ、第２表示部２１に対応するタッチパネル３９−２は有効にされている。これにより、ユーザは、第１表示部１１にリアルタイム表示されるライブビュー画像５２を確認しつつ、第２表示部２１に表示される操作用画像５０や撮影パラメータ画像を操作・確認して最適な撮像環境を設定することができる。
【００５７】
なお、操作用画像５０は、動画撮影モードを選択する「動画」ボタン，静止画撮影モードを選択する「静止画」ボタン，再生モードを選択する「再生」ボタン、メニュー画面を表示させる「Ｍ」ボタン，中心に決定ボタン「Ｄ」を有する十字リンクボタン，表示モードを選択する「表示」ボタンからなり、それぞれのボタンにタッチパネルが機能するように表示制御されている。また、撮影パラメータ画像５１は、画像番号、画素数、ＩＳＯ情報、フォーカス情報、撮影日時等の各種パラメータが表示される。ユーザは「Ｍ」ボタンを操作して、（静止画）通常撮像モード、マクロ撮像モード、連写モード、速写モード、・・、等の撮像モードを選択することができる。また十字リンクボタンは、モード設定やメニュー選択等に際して液晶モニタ画面に表示されるメニューやアイコン等をカーソルでポイント（指定）する際に操作するキーであり、カーソルキーの操作によりカーソルを上下又は左右に移動させることができる。また、「Ｄ」キーは、カーソルキーによってカーソル表示されている項目を選択設定する際に押されるキーである。また、確認キーとして用いることもできる。
【００５８】
図６は、静止画撮影モードが選択されている静止画撮影時に、シャッター釦３の押下によるユーザの撮影操作があったときの表示内容を示しており、第１表示部１１にライブビュー画像５２が、第２表示部２１に操作用画像５０と記録画像５３とが表示されている。また、第１表示部１１に対応するタッチパネル３９−１は無効にされ、第２表示部２１に対応するタッチパネル３９−２は有効にされている。これにより、ユーザは、第１表示部１１にリアルタイム表示されるライブビュー画像５２を確認しつつ、第２表示部２１に表示される操作用画像５０や記録画像５３を操作・確認して最適な撮像環境を設定することができる。特に、第１表示部１１でライブビュー画像を確認し、第２表示部２１で記録画像５３を確認することができるので、ライブビュー画像を表示しつつ撮影し終わった記録画像５３を同時に表示することで、記録画像５３が画角内に上手く収まっているか否かをユーザの操作によらずに自動的に表示することができる。
【００５９】
図７は、静止画撮影モードが選択されている静止画撮影時に、メニューボタンの押下によるユーザのメニュー操作があったときの表示内容を示しており、第１表示部１１にライブビュー画像５２が、第２表示部２１に操作用画像５０とメニュー情報画像５４とが表示されている。また、第１表示部１１に対応するタッチパネル３９−１は無効にされ、第２表示部２１に対応するタッチパネル３９−２は有効にされている。これにより、ユーザは、第１表示部１１にリアルタイム表示されるライブビュー画像５２を確認しつつ、第２表示部２１に表示される操作用画像５０やメニュー情報画像５４を操作・確認して最適な撮像環境を設定することができる。特に、第１表示部１１でライブビュー画像を確認し、第２表示部２１で撮像環境を設定することができるので、ユーザの設定環境を第１表示部１１にすぐに反映させることで、ユーザによる設定環境の変化の目視が可能となる。
【００６０】
なお、メニュー情報画像５４には、顔認識をするか否か、フォーカス方式を自動にするか否か、連写をするか否か、セルフタイマーを設定するか否か、手ブレを軽減させるか否か、撮影ライトをＯＮするか否か等の設定メニューなどがあり、操作用画像５０のタッチパネルによって又はメニュー情報画像５４のタッチパネルによって、ユーザの操作が機能するように表示制御されている。
【００６１】
図８は、図７の表示内容の変形例であり、第１表示部１１にライブビュー画像５２が、第２表示部２１にメニュー情報画像５４が表示されている。また、第１表示部１１に対応するタッチパネル３９−１は無効にされ、第２表示部２１に対応するタッチパネル３９−２は有効にされている。これにより、ユーザは、第１表示部１１にリアルタイム表示されるライブビュー画像５２を確認しつつ、第２表示部２１に表示されるメニュー情報画像５４を操作・確認して最適な撮像環境を設定することができる。特に、第１表示部１１でライブビュー画像を確認し、第２表示部２１で撮像環境を設定することができるので、ユーザの設定環境を第１表示部１１にすぐに反映させることで、ユーザによる設定環境の変化の目視が可能となる。この場合は、メニュー情報画像５４のタッチパネルによって、ユーザの操作が機能するように表示制御されている。
【００６２】
なお、図５又は図６に示す表示内容から図７又は図８に示す表示内容への変更は、メニューボタンの押下によるユーザのメニュー操作があったときに切り替わるが、図７又は図８に示す表示内容から図５又は図６に示す表示内容への変更は、第２表示部２１のメニュー枠外（操作用画像５０，メニュー情報画像５４の表示領域外）をユーザがタッチすることで切り替えることができる。
【００６３】
図９は、動画撮影モードが選択されている動画撮影時に、ユーザの操作がないときの表示内容、及び、動画撮影モードが選択されている動画撮影時に、シャッター釦３の押下によるユーザの撮影操作があったときの表示内容を示しており、第１表示部１１に操作用画像５０と撮影パラメータ画像５１とが表示され、第２表示部２１にライブビュー画像５２が表示されている。また、第１表示部１１に対応するタッチパネル３９−１は有効にされ、第２表示部２１に対応するタッチパネル３９−２は無効にされている。これにより、ユーザは、第２表示部２１にリアルタイム表示されるライブビュー画像５２を確認しつつ、第１表示部１１に表示される操作用画像５０や撮影パラメータ画像を操作・確認して最適な撮像環境を設定することができる。また、静止画撮影時を示す図５と動画撮影時を示す図９とで、第１表示部１１及び第２表示部２１に表示される表示内容が相互に逆になっているため、静止画は背面右の表示部によって、動画は背面左の表示部によってライブビュー画像を確認でき、撮影時の使い勝手を考慮したものとなっている。
【００６４】
なお、動画撮影時におけるシャッター釦３の押下によるユーザの撮影操作によって、撮影開始又は撮影終了となる。
【００６５】
図１０は、動画撮影モードが選択されている動画撮影時に、「動画」ボタン押下中にシャッター釦３の押下によるユーザの静止画撮影操作があったときの表示内容を示しており、第１表示部１１に操作用画像５０と記録画像５３とが表示され、第２表示部２１にライブビュー画像５２が表示されている。また、第１表示部１１に対応するタッチパネル３９−１は有効にされ、第２表示部２１に対応するタッチパネル３９−２は無効にされている。これにより、ユーザは、第２表示部２１にリアルタイム表示されるライブビュー画像５２を確認しつつ、第１表示部１１に表示される操作用画像５０や記録画像５３を操作・確認して最適な撮像環境を設定することができる。特に、第２表示部２１でライブビュー画像を確認し、第１表示部１１で記録画像５３を確認することができるので、ライブビュー画像を表示しつつ撮影し終わった記録画像５３を同時に表示することで、記録画像５３が画角内に上手く収まっているか否かをユーザの操作によらずに自動的に表示することができる。また、静止画である記録画像５３は背面右の第１表示部１１によって、動画であるライブビュー画像５２は背面左の第２表示部２１によって確認でき、撮影時の使い勝手を考慮したものとなっている。
【００６６】
図１１は、動画撮影モードが選択されている動画撮影時に、メニューボタンの押下によるユーザのメニュー操作があったときの表示内容を示しており、第１表示部１１に操作用画像５０とメニュー情報画像５４とが、第２表示部２１にライブビュー画像５２が表示されている。また、第２表示部２１に対応するタッチパネル３９−２は無効にされ、第１表示部１１に対応するタッチパネル３９−１は有効にされている。これにより、ユーザは、第２表示部２１にリアルタイム表示されるライブビュー画像５２を確認しつつ、第１表示部１１に表示される操作用画像５０やメニュー情報画像５４を操作・確認して最適な撮像環境を設定することができる。特に、第２表示部２１でライブビュー画像を確認し、第１表示部１１で撮像環境を設定することができるので、ユーザの設定環境を第２表示部２１にすぐに反映させることで、ユーザによる設定環境の変化の目視が可能となる。また、動画であるライブビュー画像５２は背面左の第２表示部２１によって確認でき、撮影時の使い勝手を考慮したものとなっている。
【００６７】
図１２は、図１１の表示内容の変形例であり、第２表示部２１にライブビュー画像５２が、第１表示部１１にメニュー情報画像５４が表示されている。また、第１表示部１１に対応するタッチパネル３９−１は有効にされ、第２表示部２１に対応するタッチパネル３９−２は無効にされている。これにより、ユーザは、第２表示部２１にリアルタイム表示されるライブビュー画像５２を確認しつつ、第１表示部１１に表示されるメニュー情報画像５４を操作・確認して最適な撮像環境を設定することができる。特に、第２表示部２１でライブビュー画像を確認し、第１表示部１１で撮像環境を設定することができるので、ユーザの設定環境を第２表示部２１にすぐに反映させることで、ユーザによる設定環境の変化の目視が可能となる。この場合は、メニュー情報画像５４のタッチパネルによって、ユーザの操作が機能するように表示制御されている。
【００６８】
なお、図９又は図１０に示す表示内容から図１１又は図１２に示す表示内容への変更は、メニューボタンの押下によるユーザのメニュー操作があったときに切り替わるが、図１１又は図１２に示す表示内容から図９又は図１０に示す表示内容への変更は、第１表示部１１のメニュー枠外（操作用画像５０，メニュー情報画像５４の表示領域外）をユーザがタッチすることで切り替えることができる。
【００６９】
図１３は、再生モードが選択されているときに、ユーザの操作がないときの表示内容を示しており、第２表示部２１に操作用画像５０とサムネイル画像５５が表示され、第１表示部１１にサムネイル画像５５から選択した１の記録画像５６が表示されている。また、第１表示部１１に対応するタッチパネル３９−１は無効にされ、第２表示部２１に対応するタッチパネル３９−２は有効にされている。これにより、ユーザは、第２表示部２１に表示されるサムネイル画像５５を確認しつつ、ユーザの所望の画像をタッチパネル等で選択することにより、第１表示部１１に選択した記録画像５６を表示することができるので、サムネイル画像と所望の記録画像とを同時に表示して、ユーザの操作性を向上させる。
【００７０】
また、図１４は、再生モードが選択されているときに、メニューボタンの押下によるユーザのメニュー操作があったときの表示内容を示しており、第１表示部１１に記録画像５６が、第２表示部２１に操作用画像５０とメニュー情報画像５４とが、表示されている。また、第２表示部２１に対応するタッチパネル３９−２は有効にされ、第１表示部１１に対応するタッチパネル３９−１は無効にされている。これにより、ユーザは、第１表示部１１に表示される記録画像５６を確認しつつ、第２表示部２１に表示される操作用画像５０やメニュー情報画像５４を操作・確認して最適な再生環境を設定することができる。特に、第１表示部１１で記録画像５６を確認し、第２表示部２１で再生環境を設定することができるので、ユーザの設定環境を第１表示部１１にすぐに反映させることで、ユーザによる設定環境の変化の目視が可能となる。
【００７１】
図１５は、デジタルカメラ１が収納状態であり、静止画撮影モードが選択されている静止画撮影時にユーザの操作がないときの表示内容、動画撮影モードが選択されている動画撮影時にユーザの操作がないときの表示内容、及び、動画撮影モードが選択されている動画撮影時にシャッター釦３の押下によるユーザの撮影操作があったときの表示内容を示しており、第２表示部２１に操作用画像５０とライブビュー画像５２とが表示されている。なお、第１表示部１１は収納状態であり、何も表示されない。第１表示部１１に対応するタッチパネル３９−１は無効にされ、第２表示部２１に対応するタッチパネル３９−２は有効にされている。これにより、ユーザは、第２表示部２１にリアルタイム表示されるライブビュー画像５２を確認しつつ、操作用画像５０を操作・確認して最適な撮像環境を設定することができる。なお、動画撮影時におけるシャッター釦３の押下によるユーザの撮影操作は、撮影開始又は撮影終了となる。
【００７２】
図１６は、デジタルカメラ１が収納状態であり、静止画撮影モードが選択されている静止画撮影時に、シャッター釦３の押下によるユーザの撮影操作があったときの表示内容、及び、動画撮影モードが選択されている動画撮影時に、動画撮影中にシャッター釦３の押下によるユーザの静止画撮影操作があったときの表示内容を示しており、第２表示部２１に操作用画像５０と記録画像５３とが表示される。なお、第１表示部１１は収納状態であり、何も表示されない。第１表示部１１に対応するタッチパネル３９−１は無効にされ、第２表示部２１に対応するタッチパネル３９−２は有効にされている。これにより、ユーザは、第２表示部２１に表示される記録画像５３を確認することができるので、記録画像５３が画角内に上手く収まっているか否かをユーザの操作によらずに自動的に表示することができる。
【００７３】
図１７は、デジタルカメラ１が収納状態であり、静止画撮影モードが選択されている静止画撮影時にメニューボタンの押下によるユーザのメニュー操作があったときの表示内容、及び、動画撮影モードが選択されている動画撮影時に、メニューボタンの押下によるユーザのメニュー操作があったときの表示内容を示しており、第２表示部２１に操作用画像５０とメニュー情報画像５４とが表示される。なお、第１表示部１１は収納状態であり、何も表示されない。第１表示部１１に対応するタッチパネル３９−１は無効にされ、第２表示部２１に対応するタッチパネル３９−２は有効にされている。これにより、ユーザは、第２表示部２１に表示される操作用画像５０やメニュー情報画像５４を操作・確認して最適な撮像環境を設定することができる。
【００７４】
図１８は、デジタルカメラ１が収納状態であり、再生モードが選択されているときに、ユーザの操作がないときの表示内容を示しており、第２表示部２１に操作用画像５０と記録画像５３とが表示されている。なお、第１表示部１１は収納状態であり、何も表示されない。第１表示部１１に対応するタッチパネル３９−１は無効にされ、第２表示部２１に対応するタッチパネル３９−２は有効にされている。これにより、ユーザは、第２表示部２１に表示される記録画像５３を確認することができる。
【００７５】
図１９は、図１８の表示内容の変形例であり、第２表示部２１に記録画像５３を表示画面一杯に伸張した記録画像５７が表示されている。なお、第１表示部１１は収納状態であり、何も表示されない。第１表示部１１に対応するタッチパネル３９−１は無効にされ、第２表示部２１に対応するタッチパネル３９−２は有効にされている。
【００７６】
図１８の表示内容において記録画像５３をタッチすると記録画像５７が表示された図１９の表示内容となり、一方、図１９の表示内容において記録画像５７をタッチすると図１８の表示内容となることによって、図１８と図１９とで表示内容を切り替えることができる。
【００７７】
図２０は、デジタルカメラ１が収納状態であり、再生モードが選択されているときに、メニューボタンの押下によるユーザのメニュー操作があったときの表示内容を示しており、第２表示部２１に操作用画像５０とメニュー情報画像５４とが表示されている。なお、第１表示部１１は収納状態であり、何も表示されない。第１表示部１１に対応するタッチパネル３９−１は無効にされ、第２表示部２１に対応するタッチパネル３９−２は有効にされている。これにより、ユーザは、第２表示部２１に表示される操作用画像５０やメニュー情報画像５４を操作・確認して最適な再生環境を設定することができる。
【００７８】
図２１は、図２０の表示内容において、サムネイル表示を選択したときの表示内容を示しており、第２表示部２１にサムネイル画像５５が表示されている。なお、第１表示部１１は収納状態であり、何も表示されない。第１表示部１１に対応するタッチパネル３９−１は無効にされ、第２表示部２１に対応するタッチパネル３９−２は有効にされている。これにより、第２表示部２１に表示されるサムネイル画像５５を確認しつつ、ユーザの所望の画像をタッチパネル等で選択することができる。なお、選択された画像は図１８又は図１９に示す表示内容で表示することができる。
【００７９】
以上、本実施形態は、第１表示部１１及び第２表示部２１の２画面にて確認可能な展開状態の撮像装置において、静止画撮影モードでは、第１表示部１１に撮影画像であるライブビュー画像を表示し、第２表示部２１に操作用画像５０，撮影パラメータ画像５１，メニュー情報画像５４を表示することから、撮影画像の表示領域を狭めることなく、第１表示部１１全体に撮影画像を表示することができる。
【００８０】
また、本実施形態は、第１表示部１１及び第２表示部２１の２画面にて確認可能な展開状態の撮像装置において、動画撮影モードでは、第１表示部１１に操作用画像５０，撮影パラメータ画像５１，メニュー情報画像５４の他動画撮影中に撮影した静止画記録画像を表示し、第２表示部２１に撮影画像であるライブビュー画像又は動画撮影中画像を表示することから、第２表示部２１全体に撮影画像を表示することができ、撮影画像の表示領域を狭めることはない。したがって、撮像装置を不要に大型化することなく、且つ、撮影画像を縮小することなく適切な大きさで撮影画像と操作パネル画像を表示することができる。
【００８１】
なお、本実施形態において、第１ボディ部１０と第２ボディ部２０とは軸芯１２，２２の２軸ヒンジで構成されている例を説明したが、本発明はこれに限定されず、第１表示部１１及び第２表示部２１の２画面にて確認可能な展開状態を実現できるのならば如何なる構成でもよく、例えば、第1ボディ部１０に対して第２ボディ部２０をスライド移動するスライド形式で構成するなど、様々な変形態様が想到可能である。
【図面の簡単な説明】
【００８２】
【図１】本発明の撮像装置の実施形態であるデジタルカメラの収納状態を示す図である。
【図２】本発明の撮像装置の実施形態であるデジタルカメラの展開状態を示す図である。
【図３】本発明の撮像装置の実施形態であるデジタルカメラの電気的構成を示したブロック図である。
【図４】撮影モードの静止画撮影モードが設定された場合における情報処理部の処理手順を示すフローチャートである。
【図５】展開状態における表示部の表示内容を示す図である。
【図６】展開状態における表示部の表示内容を示す図である。
【図７】展開状態における表示部の表示内容を示す図である。
【図８】展開状態における表示部の表示内容を示す図である。
【図９】展開状態における表示部の表示内容を示す図である。
【図１０】展開状態における表示部の表示内容を示す図である。
【図１１】展開状態における表示部の表示内容を示す図である。
【図１２】展開状態における表示部の表示内容を示す図である。
【図１３】展開状態における表示部の表示内容を示す図である。
【図１４】展開状態における表示部の表示内容を示す図である。
【図１５】収納状態における表示部の表示内容を示す図である。
【図１６】収納状態における表示部の表示内容を示す図である。
【図１７】収納状態における表示部の表示内容を示す図である。
【図１８】収納状態における表示部の表示内容を示す図である。
【図１９】収納状態における表示部の表示内容を示す図である。
【図２０】収納状態における表示部の表示内容を示す図である。
【図２１】収納状態における表示部の表示内容を示す図である。
【符号の説明】
【００８３】
１  デジタルカメラ
１１  第１表示部
２１  第２表示部
５０  操作用画像
５１  撮影パラメータ画像
５２  ライブビュー画像
５３  記録画像
５４  メニュー情報画像
５５  サムネイル画像
５６  記録画像
５７  記録画像
【図１】
2010081099.tif 000003
【図２】
2010081099.tif 000004
【図３】
2010081099.tif 000005
【図４】
2010081099.tif 000006
【図５】
2010081099.tif 000007
【図６】
2010081099.tif 000008
【図７】
2010081099.tif 000009
【図８】
2010081099.tif 000010
【図９】
2010081099.tif 000011
【図１０】
2010081099.tif 000012
【図１１】
2010081099.tif 000013
【図１２】
2010081099.tif 000014
【図１３】
2010081099.tif 000015
【図１４】
2010081099.tif 000016
【図１５】
2010081099.tif 000017
【図１６】
2010081099.tif 000018
【図１７】
2010081099.tif 000019
【図１８】
2010081099.tif 000020
【図１９】
2010081099.tif 000021
【図２０】
2010081099.tif 000022
【図２１】
2010081099.tif 000023